(57)【要約】      （修正有）【課題】一人で手が届かない背中へ、他人に手伝って貰うことなく自分で湿布薬を容易に貼り付けできる湿布薬貼り付け機を提供する。【解決手段】面ファスナー１を用いて湿布８を粘着固定する湿布保持板２と湿布８を背中９に押し付け貼付するための湿布押圧板３にそれぞれ１本ずつハンドル４を取り付けて支転軸５と捻りバネ６を介して連結させ、そのハンドル４を操作することにより前記湿布保持板２と湿布押圧板３を開閉し、湿布８の装着と貼付を行う。【選択図】図１
2005204705.tif 000002
【特許請求の範囲】
【請求項１】
板にマジックテープを展着し湿布を保持する湿布保持板と、湿布を体に押し付けるための板からなる湿布押圧板と、その湿布保持板と湿布押圧板を操作するハンドルからなる把手部を設けた湿布薬貼り付け機。
【請求項２】
上記湿布保持板に立設した弾性部材でできた湿布薬貼り付け位置誘導器。
【発明の詳細な説明】
【技術分野】
【０００１】
本発明は、一人で手が届かない背中、腰、肩などに、他人の手を借りずに、容易に湿布を貼り付けできる湿布薬貼り付け機に関するものである。
【背景技術】
【０００２】
従来、背中や腰や肩など手の届きにくい所に湿布薬を貼る際は他の人に手伝ってもらって貼ったり、床上に湿布を置きその上に仰向けに寝転び背中を押し付けるように貼ったり、鏡を見ながら苦労して一人で貼ったりした。
【発明の開示】
【発明が解決しようとする課題】
【０００３】
高齢化社会に伴い体の関節痛を訴える人は年々増加し、その関節痛の消炎、鎮痛のために湿布薬は欠かせない医薬品であるが、関節痛の主要な部位である背中、腰、肩周囲には手が届きにくく、他人の手を借りずに湿布を皺にしないで貼付することは困難を伴うことが多い。そのため一人暮らしの人は満足に自分の意図する所に容易に湿布を貼付できないという問題点がある。
【０００４】
本発明は湿布を湿布薬貼り付け機に簡単に装着でき、一人で手が届かない背中、腰、肩周囲に、他の人の手を借りずに容易に希望の位置に湿布を貼り付けできる湿布薬貼り付け機を提供するものである。
【課題を解決するための手段】
【０００５】
上述の課題を解決するために本発明の湿布薬貼り付け機は、マジックテープを展着した板状の湿布保持板と板状の湿布押圧版にそれぞれ1本ずつハンドルが連結し、そのハンドルが捻りバネを介して支点軸で一体化しており湿布保持板と湿布押圧板をハンドルの操作で自由に開閉することができることを特徴としている。また湿布を希望の位置に貼付するために湿布保持板に弾性部材からなる湿布薬貼り付け位置誘導器を立設していることを特徴としている。
【発明の効果】
【０００６】
手の届きにくい場所へ、他の人の手を借りずに自分で湿布薬を皺にすること無く、容易に貼付することができる。
【０００７】
請求項１においては、マジックテープ付湿布保持板に湿布を固定してから湿布の背面のセロファンを剥がすので湿布が指先にくっ付いたり、湿布薬の粘着面と粘着面が引っ付いて皺になったりすることがなく、簡単かつ正確に湿布を湿布薬貼り付け機に固定、保持することができる。また湿布保持板のマジックテープで湿布を強固に保持できるので湿布を貼りたい場所に誘導する際に湿布薬貼り付け機から湿布が外れたりすることがない。またハンドルを握るだけで湿布保持板と湿布を引き剥がすことができるので、簡単な操作で湿布を貼り付けることが出来る。また湿布保持板と湿布押圧板は角度がついているので肩を大きく回して背中の方に無理に手をもって行く必要がなく、体のどの場所にでも容易に湿布を貼り付けることができる。また湿布薬貼り付け機の裏面を使用して湿布を軽く押さえつけることにより更に強固に湿布を背中に貼り付けることが出来る。
【０００８】
請求項２においては湿布を貼りたい希望の位置を皮膚の触覚を介して認識することができる。また湿布を貼り付ける際、湿布薬貼り付け機を背中に押し付けると、湿布薬貼付位置誘導器はその弾力のため容易に変形し、湿布を背中に押し付けるときに邪魔にならない。また貼り終わった後はその弾力のため元の形状に戻る。
【発明を実施するための最良の形態】
【０００９】
以下、本発明品の実施の形態を実施例にもとづき図面を参照して説明する。図１は第一実施例を表す外観斜視図、図２は同斜視図、図３は正面図、図４は同側面図であって、適当な長さのマジックテープ（１）を展着した板を湿布保持板（２）とし、その湿布保持板（２）より小さな面積の板を湿布押圧板（３）とする。そしてその湿布保持板（２）と湿布押圧板（３）にそれぞれ1本ずつハンドル（４）を連結させる。そのハンドルを支転軸（５）と捻りバネ（６）を介して連結させ、そのハンドル（４）を握ったり、離したりすることにより湿布保持板（２）と湿布押圧板（３）が開閉する把手部を具備する。また湿布保持板（２）に弾力部材でできた湿布薬貼り付け位置誘導器（７）を立設したものとする。
【００１０】
図１、図２、図３、図４、図５に示すように湿布保持板（２）と湿布押圧板（３）の基部は体の湾曲に合うよう角度がついている。また体の湾曲に合うように把手部にも湾曲を加えてもよい。
【００１１】
図１に示すように把握部のハンドル（４）を握っている状態では湿布保持板（２）と湿布押圧板（３）が開き、完全に離れる。
【００１２】
図２に示すように把握部のハンドル（４）を握ってない状態では湿布保持板（２）と湿布押圧板（３）が閉じて当接し、湿布押圧板（３）はマジックテープ（１）の展着していない部分に嵌りこんでいる。
【００１３】
図５に湿布を装着した状態の外観斜視図を示す。上記湿布薬貼り付け機に湿布（８）を装着する場合、湿布保持板（２）と湿布押圧板（３）が閉じた状態で湿布保持板（３）上のマジックテープ（１）にセロファンを剥がしていない湿布（８）の背面を乗せ、指で軽く押さえて湿布背面の繊維成分とマジックテープ（１）を接着させて湿布（８）を湿布保持板（２）に固定、保持し、湿布（８）のセロファンをゆっくりと剥がす。
【００１４】
次に、本発明の湿布薬貼り付け機を用いて、湿布を背中（９）に貼り付ける要領について図６(a)〜（ｃ）にもとづき説明する。まず図６（a）に示すように湿布（８）を装着した湿布薬貼り付け機の把手部を手で持って背中（９）の方へ持っていき湿布薬貼り付け位置誘導器（7）を背中（９）に接触させながら貼付したい場所を決め、図６（ｂ）に示すように湿布保持板（２）を背中（９）に押し当てると湿布（８）が背中（９）に貼り付く。その時、湿布薬貼り付け位置誘導器（7）は背中（９）に押し付けられるがその弾性のため変形し湿布（８）が背中（９）に接着するのを妨害しない。次に図６（ｃ）に示すように、把手部のハンドル（４）を握ると湿布保持板（２）と湿布押圧板（３）は開く。この状態では湿布（８）は湿布押圧板（３）により背中（９）に押し付けられた状態であるが、湿布保持板（２）は背中（９）から離れていくためマジックテープ（１）と湿布（８）は引き剥がされる。完全にマジックテープ（１）と湿布（８）が剥がれたら湿布押圧板（３）を湿布（８）から離す。次に湿布薬貼り付け機を裏向けて背中（９）に付着している湿布（８）を軽く叩くか、擦ることで湿布（８）を再押圧し、背中（９）に強固に粘着させる。
【図面の簡単な説明】
【００１５】
【図１】本発明の実施の形態の湿布薬貼り付け機を示す斜視像である。
【図２】上記湿布薬貼り付け機を示す斜視像である。
【図３】上記湿布薬貼り付け機を示す正面像である。
【図４】上記湿布薬貼り付け機を示す側面像である。
【図５】上記湿布薬貼り付け機に湿布を装着した状態を示す斜視像である。
【図６．ａ】上記湿布薬貼り付け機を使って、湿布を貼り付ける状態を段階的に表した（a）〜（c）説明図である。
【図６．ｂ】上記湿布薬貼り付け機を使って、湿布を貼り付ける状態を段階的に表した（a）〜（c）説明図である。
【図６．ｃ】上記湿布薬貼り付け機を使って、湿布を貼り付ける状態を段階的に表した（a）〜（c）説明図である。
【符号の説明】
【００１６】
１  マジックテープ
２  湿布保持板
３  湿布押圧板
４  ハンドル
５  支転軸
６  捻りバネ
７  湿布薬貼り付け位置誘導器
８  湿布
９  背中
【図１】
2005204705.tif 000003
【図２】
2005204705.tif 000004
【図３】
2005204705.tif 000005
【図４】
2005204705.tif 000006
【図５】
2005204705.tif 000007
【図６．ａ】
2005204705.tif 000008
【図６．ｂ】
2005204705.tif 000009
【図６．ｃ】
2005204705.tif 000010